(57)【要約】【課題】浴槽に水位センサを接続するための水回り設備として水垢などの発生をできる限り抑え、水位を正確に測定することができるようにする。【解決手段】浴槽の側壁部Ｂ０の上下２箇所にあけられた２つの貫通孔Ｂ１，Ｂ２と、側壁部Ｂ０の表側から２つの貫通孔Ｂ１，Ｂ２にそれぞれ嵌め込まれた状態で側壁部Ｂ０の裏側に一部突出するように設けられ、側壁部Ｂ０の表裏に通じる貫通部１１２を有する２つの中空ボルト１１Ａ，１１Ｂと、側壁部Ｂ０の裏側で２つの中空ボルト１１Ａ，１１Ｂに接続され、これら２つの中空ボルト１１Ａ，１１Ｂの貫通部１１２に通じる連通部１２１，１２５を有し、かつ、連通部１２１，１２５の所定箇所から水位センサ２へと湯水を導くための開口部１２６を有するバイパス部材１２とを具備する浴槽の水回り設備からなる。【選択図】  図２
2005009912.tif 000002
【特許請求の範囲】
【請求項１】
浴槽内の水位を検出する水圧式の水位センサが浴槽の側壁部の裏側に配置され、この水位センサへと前記浴槽内の湯水を導くための浴槽の水回り設備であって、
前記側壁部の上下２箇所にあけられた２つの貫通孔と、
前記側壁部の表側から前記２つの貫通孔にそれぞれ嵌め込まれた状態で当該側壁部の裏側に一部突出するように設けられ、前記側壁部の表裏に通じる貫通部を有する２つの貫通部材と、
前記側壁部の裏側で前記２つの貫通部材に接続され、これら２つの貫通部材の貫通部に通じる連通部を有し、かつ、前記連通部の所定箇所から前記水位センサへと湯水を導くための開口部を有するバイパス部材と、
を具備することを特徴とする、浴槽の水回り設備。
【請求項２】
前記貫通部材は、中空ボルトからなり、前記バイパス部材は、前記２つの中空ボルトの各々にねじ込み接合される２つのエルボジョイントと、これら２つのエルボジョイントと前記水位センサとをＴ字状に繋ぐ三方連絡パイプとからなる、請求項１に記載の浴槽の水回り設備。
【請求項３】
浴槽に人が入る前と入った後の水位を水圧式の水位センサで測定し、その測定結果を基に体脂肪率を計算して表示する体脂肪率計測システムであって、
前記水位センサは、請求項１または２に記載の浴槽の水回り設備を介して前記浴槽に接続されていることを特徴とする、体脂肪率計測システム。
【発明の詳細な説明】
【０００１】
【発明の属する技術分野】
本発明は、浴槽の側壁部の裏側に配置された水位センサへと浴槽内の湯水を導くための浴槽の水回り設備、およびそのような水回り設備を備えた体脂肪率計測システムに関する。
【０００２】
【従来の技術】
浴槽に湯水を供給する給湯装置や各種の操作や表示を行うためのリモコン、浴槽内の水位を検出する水圧式の水位センサなどを備えた給湯システムには、浴槽に人が入る前と入った後の水位を水位センサで測定し、その測定結果を基に体脂肪率を計算して表示する機能を備えたものがある（たとえば、特許文献１参照）。
【０００３】
この種の測定に用いられる水位センサ２００は、一般的には図３に示すように浴槽の側壁部Ｂ０の裏側に配置されており、この側壁部Ｂ０の１箇所にあけられた貫通孔Ａを通じて浴槽内の湯水に触れるよう、中空ボルト１１００やジョイント１２００などを介して浴槽に接続されている。
【０００４】
【特許文献１】
特開２００２−２８２２１６号公報
【０００５】
【発明が解決しようとする課題】
ところで、浴槽の側壁部Ｂ０は、図３に示すように鉛直線Ｖに対して若干傾斜していることが多く（傾斜角θ）、このような傾斜状の側壁部Ｂ０に中空ボルト１１００やジョイント１２００などの中間部材を介して水位センサ２００を取り付けたのでは、湯水の通路となる中間部材の内部が傾いてしまう。つまり、浴槽内の湯水を排水しても図３に示すように中空ボルト１１００やジョイント１２００などの内部に湯水が残りやすく、常に水溜まりＷとなって水垢などが発生しやすい。そのため、水垢などの発生状況によっては、水位センサ２００による水位の検出に支障が生じ、水位を正確に測定できないおそれがあった。
【０００６】
【発明の開示】
本発明は、このような事情のもとで考え出されたものであって、水垢などの発生をできる限り抑え、水位を正確に測定することができる浴槽の水回り設備および体脂肪率計測システムを提供することを、その課題としている。
【０００７】
上記の課題を解決するため、本発明では、次の技術的手段を講じている。
【０００８】
すなわち、本発明の第１の側面によれば、浴槽内の水位を検出する水圧式の水位センサが浴槽の側壁部の裏側に配置され、この水位センサへと前記浴槽内の湯水を導くための浴槽の水回り設備であって、前記側壁部の上下２箇所にあけられた２つの貫通孔と、前記側壁部の表側から前記２つの貫通孔にそれぞれ嵌め込まれた状態で当該側壁部の裏側に一部突出するように設けられ、前記側壁部の表裏に通じる貫通部を有する２つの貫通部材と、前記側壁部の裏側で前記２つの貫通部材に接続され、これら２つの貫通部材の貫通部に通じる連通部を有し、かつ、前記連通部の所定箇所から前記水位センサへと湯水を導くための開口部を有するバイパス部材とを具備することを特徴とする、浴槽の水回り設備が提供される。
【０００９】
好ましい実施の形態としては、前記貫通部材は、中空ボルトからなり、前記バイパス部材は、前記２つの中空ボルトの各々にねじ込み接合される２つのエルボジョイントと、これら２つのエルボジョイントと前記水位センサとをＴ字状に繋ぐ三方連絡パイプとからなる構成とすることができる。
【００１０】
これによれば、湯水の通路をなすバイパス部材の連通部が概ね上下方向に沿う姿勢とされ、浴槽内の湯水を排水する際には、連通部における湯水が上から下に移動し、下方の貫通部材を通じて浴槽内に導かれる。したがって、上方の貫通部材やバイパス部材の上部側には湯水が残りにくく、水溜まりがほとんど生じないので、水垢などの発生ができる限り抑えられ、ひいては水位を正確に測定することができる。
【００１１】
本発明の第２の側面によれば、浴槽に人が入る前と入った後の水位を水圧式の水位センサで測定し、その測定結果を基に体脂肪率を計算して表示する体脂肪率計測システムであって、前記水位センサは、上記本発明の第１の側面に係る浴槽の水回り設備を介して前記浴槽に接続されていることを特徴とする、体脂肪率計測システムが提供される。
【００１２】
これによれば、入浴前と入浴後の水位を正確に測定して入浴者の体積を求めることができ、そうして得られた体積を基に体脂肪率を正確に求めることができる。
【００１３】
本発明のその他の特徴および利点は、添付図面を参照して以下に行う発明の実施の形態の説明によって、より明らかになるであろう。
【００１４】
【発明の実施の形態】
以下、本発明の好ましい実施の形態を、図面を参照して具体的に説明する。
【００１５】
図１は、本発明に係る体脂肪率計測システムの一実施形態を示す模式図である。
【００１６】
体脂肪率計測システムは、計測ユニット１、水位センサ２、給湯装置３、浴室リモコン４、および台所リモコン５からなる。計測ユニット１は、浴室の壁裏などに設置され、たとえば電源電圧に重畳して信号を伝える２芯のケーブル６を介して給湯装置３に接続されている。水位センサ２は、浴槽Ｂの側壁部Ｂ０の裏側に配置され、この側壁部Ｂ０の上下２箇所にあけられた貫通孔Ｂ１，Ｂ２と水路ユニット１０とからなる水回り設備を介して浴槽Ｂに接続されており、水圧式により浴槽Ｂ内の水位を検出する。なお、側壁部Ｂ０は、鉛直線（図示省略）に対して若干傾斜している。給湯装置３は、たとえば屋外に設置されている。浴室リモコン４および台所リモコン５は、それぞれケーブル６を介して給湯装置３に接続されている。浴室リモコン４は、たとえば浴槽Ｂ付近の壁に設置され、台所リモコン５は、たとえば台所の壁に設置されている。
【００１７】
図２は、浴槽Ｂの水回り設備を示す断面図である。この図に示すように、水路ユニット１０は、側壁部Ｂ０の表側から上下２箇所の貫通孔Ｂ１，Ｂ２にそれぞれ嵌め込まれ、側壁部Ｂ０の裏側に一部突出した状態で固定される中空ボルト１１Ａ，１１Ｂと、側壁部Ｂ０の裏側で中空ボルト１１Ａ，１１Ｂと水位センサ２との間に設けられるバイパス部材１２と、およびゴム製のＯリング１３とを組み付けた構造からなる。
【００１８】
中空ボルト１１Ａ，１１Ｂは、共に同じ形状からなり、側壁部Ｂ０の表側に密着固定される頭部１１０、頭部１１０と側壁部Ｂ０との間にＯリング１３を保持しておくための凹部１１１、側壁部Ｂ０の表側から裏側へと通じる貫通部１１２、および側壁部Ｂ０の裏側まで露出する雄ネジ部１１３を有する。
【００１９】
バイパス部材１２は、共に同じ形状からなる２つのエルボジョイント１２Ａ，１２Ｂと、これら２つのエルボジョイント１２Ａ，１２Ｂと水位センサ２とをＴ字状に繋ぐ三方連絡パイプ１２Ｃからなる。エルボジョイント１２Ａ，１２Ｂは、それぞれ中空ボルト１１Ａ，１１Ｂの雄ネジ部１１３にねじ込み接合される雌ネジ部１２０、中空ボルト１１Ａ，１１Ｂの貫通部１１２から三方連絡パイプ１２Ｃへと通じて概ね直角の流路をなす連通部１２１、および側壁部Ｂ０との間にＯリング１３を保持しておくための凹部１２２を有する。三方連絡パイプ１２Ｃは、上下に位置する２つのエルボジョイント１２Ａ，１２Ｂの連通部１２１に対して真っ直ぐ通じる連通部１２５と、この連通部１２５の所定箇所に対して水位センサ２を臨むように取り付けておき、水位センサ２へと湯水を導くための開口部１２６とを有する。なお、バイパス部材１２は、２つのエルボジョイント１２Ａ，１２Ｂや三方連絡パイプ１２Ｃに水位センサ２をあらかじめ取り付けたものとして取り扱われる。
【００２０】
中空ボルト１１Ａ，１１Ｂとバイパス部材１２とを側壁部Ｂ０に対して取り付けるには、たとえば上側の貫通孔Ｂ１に中空ボルト１１Ａを嵌め込んだ状態とし、その後、側壁部Ｂ０の裏側に回ってバイパス部材１２のエルボジョイント１２Ａを中空ボルト１１Ａにねじ止めするようにして仮接合しておく。このとき、他方のエルボジョイント１２Ｂを下側の貫通孔Ｂ２に合うように位置決めしておく。そして、再び側壁部Ｂ０の表側に回って下側の貫通孔Ｂ２に中空ボルト１１Ｂを嵌め込むとともに、貫通孔Ｂ２の奥方にあるエルボジョイント１２Ｂに対して中空ボルト１１Ｂをねじ止めするようにして固定する。さらに、仮接合しておいた上側の中空ボルト１１Ａを固定すれば、貫通孔Ｂ１，Ｂ２の表裏両側に中空ボルト１１Ａ，１１Ｂとバイパス部材１２とがＯリング１３を介して隙間なく密着固定され、取り付け作業が完了する。このような取り付け作業に際しては、側壁部Ｂ０の裏側でバイパス部材１２を仮に位置決めしておくための補助用具などが不要とされ、一人でも簡単に取り付けることができる。
【００２１】
実際の使用時には、上側の貫通孔Ｂ１より水面が上にくるまで浴槽Ｂ内に湯水が貯まると、中空ボルト１１Ａ，１１Ｂの貫通部１１２やバイパス部材１２の連通部１２１，１２５が浴槽Ｂからの湯水で満ち足りた状態となり、開口部１２６を通じて水位センサ２に湯水が触れる。これにより、浴槽Ｂ内の水面から水位センサ２の高さ位置（基準水位Ｓ０）までの湯水による水圧が水位センサ２にかかり、水位センサ２は、水圧に応じた水位を示す信号を出力する。一方、浴槽Ｂ内の湯水を排水すると、それに応じて中空ボルト１１Ａ，１１Ｂの貫通部１１２やバイパス部材１２の連通部１２１，１２５における湯水が上から下に移動し、浴槽Ｂ内の水面が下側の貫通孔Ｂ２より下になると、連通部１２１，１２５におけるほとんどの湯水が下方の中空ボルト１１Ｂを通じて浴槽Ｂ内に流れ出ていく。そして、仮に下側のエルボジョイント１２Ｂにおける連通部１２１に水溜まりが残っていても、浴槽Ｂを清掃する際などに上側の中空ボルト１１Ａの貫通部１１２に対してある程度強い水圧で水を流し込むことにより、水溜まりもろとも水垢などを下方の中空ボルト１１Ｂから流出させることができる。
【００２２】
体脂肪率計測システムの全体の動作について簡単に説明すると、入浴者Ｐが浴室リモコン４を操作して自身の年齢、性別、身長、体重といった個人情報を入力する。入力された個人情報は、給湯装置３を経由して計測ユニット１に送られ、計測ユニット１のメモリなどに記憶される。個人情報の入力は、体脂肪率の計測を始める前に行っておくことができる。また、複数人の個人情報を入力しておくこともでき、一度入力しておけば体脂肪率の計測ごとに個人情報を入力する必要はなく、体脂肪率の計測に先だって自分を特定するための名前などを入力するだけで良い。もちろん、必要に応じて個人情報の内容を変更することができる。
【００２３】
その後、入浴者Ｐが浴室リモコン４を操作して体脂肪率の計測表示開始を指示すると、その旨の制御コマンドが計測ユニット１に送られ、水位センサ２により入浴前水位Ｓ１の測定が行われる。このとき、浴槽Ｂ内には、基準水位Ｓ０より上に湯水が貯められていなければならない。また、入浴者Ｐは、浴槽Ｂ内の湯水に浸かることなく浴槽Ｂ外に位置しなければならない。
【００２４】
さらにそうした後、入浴者Ｐは、浴槽Ｂ内の湯水に首まで浸かった後、再び浴室リモコン４を操作して入浴後水位Ｓ２の測定開始を指示する。すると、その旨の制御コマンドが計測ユニット１に送られ、水位センサ２により入浴後水位Ｓ２の測定が行われる。
【００２５】
そして、計測ユニット１では、入浴前水位Ｓ１と入浴後水位Ｓ２とを基に入浴者Ｐの首下体積を算出し、あらかじめ入力された入浴者Ｐの個人情報を基に首上体積を算出し、これら首下体積と首上体積とを加算して入浴者Ｐの全身体積を算出する。なお、首下体積や首上体積の算出時には、あらかじめデータテーブルなどとして用意された換算表が用いられる。
【００２６】
さらに、換算表などを基に入浴者Ｐの個人情報から体内残気量が自動的に求められ、この体内残気量を全身体積から差し引くことで入浴者Ｐの真の全身体積を算出する。
【００２７】
最終的に計測ユニット１では、入浴者Ｐが個人情報として入力したうちの体重を真の全身体積で除算することにより、入浴者Ｐの体比重が算出され、たとえば｛（４．５７／体比重）−４．１４２｝×１００＝体脂肪率（％）で示されるＢｒｏｚｅｋの体脂肪率算出式に体比重を代入し、これにより入浴者Ｐの体脂肪率が求められる。
【００２８】
入浴者Ｐの体脂肪率が求められると、この体脂肪率に関するデータが計測ユニット１から浴室リモコン４や台所リモコン５に送られ、浴室リモコン４や台所リモコン５の表示部に入浴者Ｐの体脂肪率（ＢＦＰ）が表示される。
【００２９】
要するに、体脂肪率を正確に求めるには、入浴前水位Ｓ１と入浴後水位Ｓ２とをできる限り精度良く測定しなければならないが、これら入浴前水位Ｓ１と入浴後水位Ｓ２とを測定する水位センサ２は、水垢などで詰まるおそれがほとんどない、仮に詰まったとしても清掃によって簡単に除去することができる水路ユニット１０を介して浴槽Ｂに接続されているため、正確に入浴前水位Ｓ１と入浴後水位Ｓ２とを測定することができる。
【００３０】
したがって、上記実施形態に係る浴槽Ｂの水回り設備によれば、少なくとも上方の中空ボルト１１Ａやエルボジョイント１２Ａ、バイパス部材１２の連通部１２５上部側には湯水が残りにくく、水溜まりがほとんど生じないので、水垢などの発生ができる限り抑えられ、ひいては入浴前水位Ｓ１や入浴後水位Ｓ２を正確に測定することができる。
【００３１】
なお、本発明は、上記実施形態に限定されるものではない。
【００３２】
バイパス部材１２は、２つのエルボジョイント１２Ａ，１２Ｂと三方連絡パイプ１２Ｃとからなるが、これらを一体形成したような形状の一部品であっても良い。
【００３３】
水溜まりをできる限りなくすべく、エルボジョイント１２Ａ，１２Ｂの連通部１２１や三方連絡パイプ１２Ｃの開口部１２６は、側壁部Ｂ０に取り付けた状態で概ね水平をなすような路面部分を有するようにしておいても良い。
【００３４】
【発明の効果】
以上説明したように、本発明によれば、湯水の通路をなすバイパス部材の連通部が概ね上下方向に沿う姿勢とされ、浴槽内の湯水を排水する際には、連通部における湯水が上から下に移動し、下方の貫通部材を通じて浴槽内に導かれる。したがって、上方の貫通部材やバイパス部材の上部側には湯水が残りにくく、水溜まりがほとんど生じないので、水垢などの発生ができる限り抑えられ、ひいては水位を正確に測定することができる。
【図面の簡単な説明】
【図１】本発明に係る体脂肪率計測システムの一実施形態を示す模式図である。
【図２】浴槽の水回り設備を示す断面図である。
【図３】浴槽に水位センサを接続しておく従来の一般的な水回り設備を示す断面図である。
【符号の説明】
１              計測ユニット
２              水位センサ
３              給湯装置
４              浴室リモコン
５              台所リモコン
１０            水路ユニット
１１Ａ，１１Ｂ  中空ボルト
１１２          貫通部
１２Ａ，１２Ｂ  エルボジョイント
１２１          連通部
１２Ｃ          三方連絡パイプ
１２５          連通部
１２６          開口部
１３            Ｏリング
Ｂ              浴槽
Ｂ０            側壁部
Ｂ１，Ｂ２      貫通孔
【図１】
2005009912.tif 000003
【図２】
2005009912.tif 000004
【図３】
2005009912.tif 000005